(57)【要約】    【課題】  被清掃面上の細かな塵埃と、小石、砂利、粗泥、鉄屑、釘、螺子等の比重の大きな砂利や塵屑類を、それぞれ逃さずに掃くことができるほうき状の清掃具の提供。    【解決手段】  基体Ｔの下方側に掃毛を密植して掃部Ｐとし、基体Ｔの上側に柄体Ｈを連結する。基体Ｔの奥行方向正面側の第１区分に剛毛Ｂｈを植設して第１区分の掃部Ｐ１とする。基体Ｔの奥行方向背面側の第２区分に、剛毛よりも先端部が長い柔毛Ｂｓを植設して第２区分の掃部Ｐ２とする。【選択図】      図２
2008000248.tif 000002
【特許請求の範囲】
【請求項１】
多数の掃毛の基部側が保持されてなる掃部を有し、
掃部は、掃毛の軸方向に直交する方向において、短手方向と長手方向を有し、短手方向が掃部の厚さ方向であり、厚さ方向に直交する長手方向が掃部の幅方向である清掃具であって、
掃部が、厚さ方向において複数の区分に分けられ、各区分が互いに異なる掃毛からなり、
厚さ方向の一方側の区分の掃毛が、他方側の区分の掃毛に比し剛毛であると共に前記一方側の掃毛の先端部が他方側の掃毛の先端部よりも短く、
厚さ方向他方側の区分の掃毛が、一方側の区分の掃毛に比し柔毛であると共に前記他方側の掃毛の先端部が一方側の掃毛の先端部よりも長いことを特徴とする清掃具。
【請求項２】
上記各区分における掃毛の先端部の長さが等しい請求項１記載の清掃具。
【請求項３】
上記各区分における掃毛の先端部の長さが、厚さ方向における上記一方側から他方側に向かって漸次長くなるものであり、隣接する区分間における掃毛の先端部の長さに段差を有する請求項１記載の清掃具。
【請求項４】
上記区分の数が２である請求項１、２又は３記載の清掃具。
【発明の詳細な説明】
【技術分野】
【０００１】
本発明は、多数の掃毛の基部側が保持されてなる掃部を有し、掃部は、掃毛の軸方向に直交する方向において、短手方向と長手方向を有し、短手方向が掃部の厚さ方向であり、厚さ方向に直交する長手方向が掃部の幅方向であるほうき状の清掃具に関する。
【背景技術】
【０００２】
特開２００５−１１１０５５号公報（特許文献１）には、「一方向に細長い基台の下面の植毛面に繊維を植設して形成した清掃ヘッドと、この清掃ヘッドに連結した柄とからなり、上記清掃ヘッドにおける基台の植毛面を、領域長の長い主植毛領域と、該主植毛領域の長さ方向両端のうち少なくとも一端側に位置する領域長の短い補助植毛領域とに区分し、上記主植毛領域に、床面上の塵埃を掃くのに必要な柔軟性を備えた軟質繊維を植設すると共に、上記補助植毛領域に、床面に付着した塵埃を掻き落とし得る程度の剛性を備えた硬質繊維を植設したことを特徴とする掃き掃除用清掃具」が開示されている。
【０００３】
この掃き掃除用清掃具は、軟質繊維と硬質繊維とを組み合わせて清掃具を形成したので、床面の壁に近い角隅部や階段の角隅部などにある塵埃は、硬質繊維を使用して除去し、広い床面部分に散在する塵埃は、繊維全体で除去することができる。特に、角隅部に付着した状態になっている塵埃や汚れ等であっても、硬質繊維で掻き落とすことができるため、床面全体を確実に掃除することができるという効果を奏する。
【０００４】
しかしながら、この掃き掃除用清掃具では、被清掃面上の細かな塵埃と、小石、砂利、粗泥、鉄屑、釘、螺子等の比重の大きな砂利や塵屑類を、それぞれ逃さずに掃くことは困難である。
【特許文献１】特開２００５−１１１０５５号公報
【発明の開示】
【発明が解決しようとする課題】
【０００５】
本発明は、従来技術に存した上記のような課題に鑑み行われたものであって、その目的とするところは、被清掃面上の細かな塵埃と、小石、砂利、粗泥、鉄屑、釘、螺子等の比重の大きな砂利や塵屑類を、それぞれ逃さずに掃くことができる清掃具を提供することにある。
【課題を解決するための手段】
【０００６】
上記目的を達成する本発明の清掃具は、
多数の掃毛の基部側が保持されてなる掃部を有し、
掃部は、掃毛の軸方向に直交する方向において、短手方向と長手方向を有し、短手方向が掃部の厚さ方向であり、厚さ方向に直交する長手方向が掃部の幅方向である清掃具であって、
掃部が、厚さ方向において複数の区分に分けられ、各区分が互いに異なる掃毛からなり、
厚さ方向の一方側の区分の掃毛が、他方側の区分の掃毛に比し剛毛であると共に前記一方側の掃毛の先端部が他方側の掃毛の先端部よりも短く、
厚さ方向他方側の区分の掃毛が、一方側の区分の掃毛に比し柔毛であると共に前記他方側の掃毛の先端部が一方側の掃毛の先端部よりも長いことを特徴とする。
【０００７】
被清掃面上の細かな塵埃を掃く場合、掃部の短手方向他方側を被清掃面上の対象箇所に向けて掃くことにより、他方側の区分を構成する先端部が長い柔毛の掃毛により細かな塵埃を逃さずに掃くことができる。
【０００８】
被清掃面上の小石、砂利、粗泥、鉄屑、釘、螺子等の比重の大きな砂利や塵屑類を掃く場合、掃部の短手方向一方側を被清掃面上の対象箇所に向け且つその一方側に掃部を傾けた状態で、前記一方側の区分を構成する先端部が短い剛毛の掃毛が被清掃面に接するようにして掃くことにより、比重の大きな砂利や塵屑類を逃さずに掃くことができる。その場合、前記他方側の区分を構成する先端部が長い柔毛の掃毛も、前記一方側の区分を構成する先端部が短い剛毛の掃毛の後方において被清掃面に接するので、被清掃面上の細かな塵埃をも逃さずに掃くことができる。
【０００９】
また本発明の清掃具は、上記各区分における掃毛の先端部の長さが等しいものとすることができる。
【００１０】
この場合、各区分における掃毛の先端部の長さが等しいため、隣接する区分間における掃毛の先端部の長さに段差を有する。そのため、掃部の短手方向に被清掃面を掃く場合、掃部を区分毎に使用して掃くことができる。特に、厚さ方向他方側の区分の掃毛が、一方側の区分の掃毛に比し柔毛であると共に前記他方側の掃毛の先端部が一方側の掃毛の先端部よりも長いので、上記他方側を被清掃面上の対象箇所に向けて掃く場合に、掃部のうち厚さ方向他方側の区分のみを使用して掃くことが容易である。
【００１１】
また本発明の清掃具は、上記各区分における掃毛の先端部の長さが、厚さ方向における上記一方側から他方側に向かって漸次長くなるものであり、隣接する区分間における掃毛の先端部の長さに段差を有するものとすることができる。
【００１２】
この場合、各区分における掃毛の先端部の長さが、厚さ方向における上記一方側から他方側に向かって漸次長くなるので、掃部の短手方向一方側を被清掃面上の対象箇所に向け且つその一方側に掃部を傾けた状態で、前記一方側の区分を構成する先端部が短い剛毛の掃毛が被清掃面に接するようにして掃く場合に、その一方側の区分の掃毛の先端部全体が被清掃面に接する状態で被清掃面を掃くこと、特に比重の大きな砂利や塵屑類を掃くことが行い易い。
【００１３】
また、隣接する区分間における掃毛の先端部の長さに段差を有するので、掃部の短手方向に被清掃面を掃く場合、掃部を区分毎に使用して掃くことができる。特に、厚さ方向他方側の区分の掃毛が、一方側の区分の掃毛に比し柔毛であると共に前記他方側の掃毛の先端部が一方側の掃毛の先端部よりも長いので、上記他方側を被清掃面上の対象箇所に向けて掃く場合に、掃部のうち厚さ方向他方側の区分のみを使用して掃くことが容易である。
【００１４】
上記本発明の清掃具は、上記区分の数が２であるものとすることができる。
【発明の効果】
【００１５】
本発明の清掃具によれば、掃部の短手方向一方側と他方側を使い分けることにより、被清掃面上の細かな塵埃と、小石、砂利、粗泥、鉄屑、釘、螺子等の比重の大きな砂利や塵屑類を、それぞれ逃さずに掃くことができる。
【発明を実施するための最良の形態】
【００１６】
本発明の実施の形態を、図面を参照しつつ説明する。
【００１７】
図面は何れも本発明の実施の形態の例としての清掃具についてのものであって、図１は正面図、図２は要部縦断面図、図３は第１使用状態要部断面図、図４は第２使用状態要部断面図である。
【００１８】
この清掃具Ｓは、掃毛と、その掃毛を下方側に植設する基体Ｔと、その基体Ｔの上側に連結された柄体Ｈからなる。
【００１９】
基体Ｔは横長で奥行が短い形状である。すなわち、幅方向が長手方向であり、奥行方向が短手方向である。基体Ｔの材料としては、例えば合成樹脂又は木等を採用し得る。柄体Ｈは、基体Ｔの奥行方向（短手方向）に平行な水平方向回動軸線のまわりに回動可能なように基体Ｔに対し連結されている。なお、柄体Ｈは固定されていてもよく、柄体Ｈの軸線方向は、例えば、基体Ｔの長手方向及び短手方向に直交するものや、短手方向に直交し長手方向に対し傾斜するものとすることができる。
【００２０】
掃毛は、剛毛Ｂｈと柔毛Ｂｓからなり、柔毛Ｂｓは剛毛Ｂｈよりも全長が長い。基体Ｔには下方に開口する多数の植毛孔（図示せず）が短手方向及び長手方向に満遍なく設けられ、その植毛孔に掃毛が植毛されることにより、掃毛が密に設けられた掃部Ｐが構成されている。掃部Ｐは、掃毛の軸方向に直交する方向において、短手方向と長手方向を有し、短手方向が掃部Ｐの厚さ方向であり、厚さ方向に直交する長手方向が掃部Ｐの幅方向である。なお、本発明の清掃具Ｓはこのように基体Ｔに掃毛が植設された態様に限定されるものではなく、例えば多数の掃毛が束ねて保持された所謂ほうき状をなすものであってもよい。
【００２１】
基体Ｔに設けられた植毛孔群は、基体Ｔの奥行方向正面側の半分である第１区分の植毛孔群と、基体Ｔの奥行方向背面側の半分である第２区分の植毛孔群に区分される。第１区分の植毛孔群には剛毛Ｂｈが植設されて第１区分の掃部Ｐ１が構成され、第２区分の植毛孔群に柔毛Ｂｓが植設されることにより第２区分の掃部Ｐ２が構成されている。この例では、第１区分の掃部Ｐ１と第２区分の掃部Ｐ２の厚さは同等であるが、これに限るものではない。なお、この例では、各植毛孔の深さが等しいので、剛毛Ｂｈの先端部は柔毛Ｂｓの先端部よりも短く構成されている。例えば剛毛Ｂｈと柔毛Ｂｓの全長を等しくし、第１区分の植毛孔の深さを第２区分よりも深くすることにより剛毛Ｂｈの先端部を柔毛Ｂｓの先端部よりも短く構成することもできる。
【００２２】
掃毛として使用し得る繊維の材質としては、例えば、ＰＶＣ、ポリプロピレン、ＰＥＴ、ナイロン、シダ、馬毛、アレン、サイザル、吉備草、各種導電繊維等を挙げることができる。導電繊維は、例えば他の繊維中に混在させて使用することができる。例えば、剛毛Ｂｈとして０．４乃至１．０ｍｍ径（例えば０．５ｍｍ径）のものを用い、柔毛Ｂｓとして０．０７乃至０．３ｍｍ径（例えば０．１乃至０．２２ｍｍ径）のものを用いることができる。柔毛Ｂｓと剛毛Ｂｈの先端部の長さの差は、例えば２乃至３０ｍｍ、好ましくは５乃至１５ｍｍ、とりわけ８乃至１２ｍｍとすることができる。
【００２３】
被清掃面上の細かな塵埃を掃く場合（第１使用状態）、図３に示すように、掃部Ｐの短手方向における第２区分側を被清掃面上の対象箇所に向けてに掃く（矢印の向き）ことにより、第２区分の掃部Ｐ２を構成する先端部が長い柔毛Ｂｓの掃毛により細かな塵埃を逃さずに掃くことができる。
【００２４】
被清掃面上の小石、砂利、粗泥、鉄屑、釘、螺子等の比重の大きな砂利や塵屑類を掃く場合（第２使用状態）、図４に示すように、掃部Ｐの短手方向における第１区分側を被清掃面上の対象箇所に向け且つその第１区分側に掃部Ｐを傾けた状態で、第１区分の掃部Ｐ１を構成する先端部が短い剛毛Ｂｈの掃毛が被清掃面に接するようにして掃く（矢印の向き）ことにより、比重の大きな砂利や塵屑類を逃さずに掃くことができる。その場合、第２区分の掃部Ｐ２を構成する先端部が長い柔毛Ｂｓの掃毛も、第１区分を構成する先端部が短い剛毛Ｂｈの掃毛の後方において被清掃面に接するので、被清掃面上の細かな塵埃をも逃さずに掃くことができる。
【００２５】
この例の場合、第１区分の掃部Ｐ１における剛毛Ｂｈの先端部の長さが互いに等しく、第２区分の掃部Ｐ２における柔毛Ｂｓの先端部の長さも互いに等しいため、第１区分の掃部Ｐ１と第２区分の掃部Ｐ２の間で剛毛Ｂｈと柔毛Ｂｓの先端部の長さに段差を有する。そのため、掃部Ｐの短手方向に被清掃面を掃く場合、掃部Ｐを区分毎に使用して掃くことができる。特に、第２区分の掃部Ｐ２の柔毛Ｂｓが、第１区分の掃部Ｐ１の剛毛Ｂｈに比し柔毛であると共に第２区分の掃部Ｐ２の柔毛Ｂｓの先端部が第１区分の掃部Ｐ１の剛毛Ｂｈの先端部よりも長いので、第２区分の掃部Ｐ２側を被清掃面上の対象箇所に向けて掃く場合に、掃部Ｐのうち第２区分の掃部Ｐ２のみを使用して掃くことが容易である。
【００２６】
また、各区分における掃毛の先端部の長さが、厚さ方向における第１区分側から第２区分側に向かって漸次長くなるものであり、隣接する区分間における掃毛の先端部の長さに段差を有するものとすることもできる。
【００２７】
この場合、各区分における掃毛の先端部の長さが、厚さ方向における第１区分側から第２区分側に向かって漸次長くなるので、掃部の第１区分側を被清掃面上の対象箇所に向け且つその第１区分側に掃部を傾けた状態で、第１区分を構成する先端部が短い剛毛の掃毛が被清掃面に接するようにして掃く場合に、その第１区分の掃毛の先端部全体が被清掃面に接する状態で被清掃面を掃くこと、特に比重の大きな砂利や塵屑類を掃くことが行い易い。
【００２８】
而も、隣接する区分間における掃毛の先端部の長さに段差を有するので、掃部の短手方向に被清掃面を掃く場合、掃部を区分毎に使用して掃くことができる。特に、第２区分の掃毛が、第１区分の掃毛に比し柔毛であると共に第２区分側の掃毛の先端部が第１区分側の掃毛の先端部よりも長いので、第２区分側を被清掃面上の対象箇所に向けて掃く場合に、掃部のうち第２区分のみを使用して掃くことが容易である。
【００２９】
なお、このよう隣接区分の掃毛同士の間に段差があるのではなく、段差がないものとし、例えば、第１区分側から第２区分側に向かって掃毛の先端部が漸次長くなるものとすることもできる。
【００３０】
上記区分は短手方向に３以上設けることもできる。図５は短手方向において掃部Ｐに３つの区分が設けられた例の要部断面図である。
【００３１】
図５の左側から第１区分、第２区分、第３区分に分けられ、第１区分の掃部Ｐ１は剛毛Ｂｈで先端部の長さが最も短く、第３区分の掃部Ｐ３は柔毛Ｂｓで先端部の長さが最も長く、第２区分の掃部Ｐ２は掃毛の剛度及び長さが第１区と第３区分の中間である。この場合、必要に応じ、例えば第３区分のみ、第２区分及び第３区分、又は、第１区分及び第２区分及び第３区分の全てを使用して掃き掃除を行うことができる。
【００３２】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００３３】
【図１】正面図である。
【図２】要部縦断面図である。
【図３】第１使用状態要部断面図である。
【図４】第２使用状態要部断面図である。
【図５】別の例の要部断面図である。
【符号の説明】
【００３４】
Ｂｈ    剛毛
Ｂｓ    長い柔毛
Ｈ      柄体
Ｐ      掃部
Ｐ１    掃部
Ｐ２    掃部
Ｐ３    掃部
Ｓ      清掃具
Ｔ      基体
【図１】
2008000248.tif 000003
【図２】
2008000248.tif 000004
【図３】
2008000248.tif 000005
【図４】
2008000248.tif 000006
【図５】
2008000248.tif 000007